(57)【特許請求の範囲】
【請求項１】
分散型電源の出力電力が入力され、前記分散型電源を系統に連系する連系運転を行うように構成された系統連系装置に係る故障を診断する故障診断方法であって、
前記系統連系装置が、前記系統連系装置の異常を検知したことにより前記連系運転を停止した後、前記分散型電源を前記系統に連系しない自立運転によって、前記系統連系装置の自立運転出力から模擬負荷に電力を供給するステップＡと、
前記系統連系装置が、前記ステップＡで前記模擬負荷に電力が供給される際に、前記分散型電源及び／又は前記系統連系装置の出力電力状態を計測するステップＢと、
前記系統連系装置が、前記ステップＢで計測された前記出力電力状態が所定条件を満たさない場合に、前記故障が発生したと判定して、ユーザへの通知のためのエラー処理を行うステップＣと、を有し、
前記模擬負荷は、充電量が可変の蓄電池を含み、
前記蓄電池は、前記ステップＡで供給される電力を充電する
ことを特徴とする故障診断方法。
【請求項２】
前記系統連系装置が、前記ステップＢで計測された前記出力電力状態が前記所定条件を満たす場合に、前記自立運転を停止して、前記連系運転の開始を試みるステップＤをさらに有することを特徴とする請求項１に記載の故障診断方法。
【請求項３】
前記ステップＢは、前記蓄電池の充電量を変化させながら、前記分散型電源及び／又は前記系統連系装置の出力電力状態を計測することを特徴とする請求項1に記載の故障診断方法。
【請求項４】
前記模擬負荷は、
前記蓄電池と、
前記蓄電池を前記系統に連系可能な他の系統連系装置と、を含み、
前記系統連系装置の前記自立運転出力には、電力ラインを介して前記他の系統連系装置が接続され、
前記ステップＡは、前記自立運転出力から前記電力ラインを介して前記他の系統連系装置に交流電力を供給することを特徴とする請求項１又は３に記載の故障診断方法。
【請求項５】
分散型電源の出力電力が入力され、前記分散型電源を系統に連系して負荷に電力を供給する連系運転を行うように構成された系統連系装置であって、
前記系統連系装置の異常を検知したことにより前記連系運転を停止した後、前記分散型電源を前記系統に連系しない自立運転によって、前記系統連系装置の自立運転出力から模擬負荷に電力を供給する供給手段と、
前記自立運転出力から前記模擬負荷に電力を供給する際の前記分散型電源及び／又は前記系統連系装置の出力電力状態が所定条件を満たさない場合に、前記系統連系装置に係る故障が発生したと判定して、ユーザへの通知のためのエラー処理を行うエラー処理手段と、を有し、
前記模擬負荷は、充電量が可変の蓄電池を含み、
前記蓄電池は、前記供給手段で供給される電力を充電する
ことを特徴とする系統連系装置。
【請求項６】
分散型電源の出力電力が入力され、前記分散型電源を系統に連系して負荷に電力を供給する連系運転を行うように構成された系統連系装置を制御する制御装置であって、
前記系統連系装置の異常を検知したことにより前記連系運転を停止した後、前記分散型電源を前記系統に連系しない自立運転によって、前記系統連系装置の自立運転出力から模擬負荷に電力を供給するよう制御する供給制御手段と、
前記自立運転出力から前記模擬負荷に電力を供給する際の前記分散型電源及び／又は前記系統連系装置の出力電力状態が所定条件を満たさない場合に、前記系統連系装置に係る故障が発生したと判定して、ユーザへの通知のためのエラー処理を行うよう制御するエラー処理制御手段と、を有し、
前記模擬負荷は、充電量が可変の蓄電池を含み、
前記蓄電池は、前記供給制御手段が行う前記制御で供給される電力を充電する
ことを特徴とすることを特徴とする制御装置。
【発明の詳細な説明】
【技術分野】
【０００１】
本発明は、太陽電池の出力電力が入力される系統連系装置に係る故障を診断する故障診断方法、系統連系装置、及び制御装置に関する。
【背景技術】
【０００２】
近年、電力の需要家において、分散型電源の一種である太陽電池の普及が進んでいる。太陽電池の普及に伴い、太陽電池を商用電力系統（以下、「系統」）に連系して負荷に電力を供給する系統連系装置（いわゆる、パワーコンディショナ）の普及も進んでいる。
【０００３】
系統連系装置は、太陽電池を系統から解列するための系統連系リレーを有する（例えば、特許文献１参照）。
【０００４】
系統連系装置は、自装置又は太陽電池の異常（例えば、系統連系装置の入力過電圧、出力過電圧、半導体部品異常など）を検知すると、系統連系リレーをオフすることで太陽電池を系統から解列し、系統運転を停止して、ユーザへの通知のためのエラー処理（エラー表示やブザー音出力など）を行うように構成されている。
【０００５】
このようなエラー処理がなされた場合には、重故障状態として取り扱われるため、ユーザは、販売会社を経由してメーカーに修理依頼を行うことになる。
【先行技術文献】
【特許文献】
【０００６】
【特許文献１】特開２０００−３５０４６８号公報
【発明の概要】
【発明が解決しようとする課題】
【０００７】
しかしながら、上述したエラー処理の原因が、落雷や瞬時的な系統電圧歪などの外乱要因である場合、メーカーによる修理時には、異常が見つからないというケースがある。このようなケースでは、ユーザあるいはメーカーにおける労力や費用が無駄になるという問題があった。
【０００８】
そこで、本発明は、連系運転を停止している場合であっても、系統連系装置に係る故障を自動で診断できる故障診断方法、系統連系装置、及び制御装置を提供することを目的とする。
【課題を解決するための手段】
【０００９】
上述した課題を解決するために、本発明は以下のような特徴を有している。
【００１０】
本発明に係る故障診断方法の特徴は、分散型電源（例えばＰＶ１００）の出力電力が入力され、前記分散型電源を系統（系統１０）に連系する連系運転を行うように構成された系統連系装置（ＰＶ ＰＣＳ１５０）に係る故障を診断する故障診断方法であって、前記系統連系装置が異常を検知したことにより前記連系運転を停止した後、前記分散型電源を前記系統に連系しない自立運転によって、前記系統連系装置の自立運転出力から模擬負荷（蓄電池２００、蓄電ＰＣＳ２５０）に電力を供給するステップＡと、前記ステップＡで前記模擬負荷に電力が供給される際に、前記分散型電源及び／又は前記系統連系装置の出力電力状態を計測するステップＢと、前記ステップＢで計測された前記出力電力状態が所定条件を満たさない場合に、前記故障が発生したと判定して、ユーザへの通知のためのエラー処理を行うステップＣと、を有することを要旨とする。
【００１１】
このような特徴によれば、系統連系装置が異常を検知したことにより連系運転を停止した後、自立運転を行うことによって、分散型電源及び／又は系統連系装置の出力電力状態が正常であるかを検証する試験を行うことができる。そして、分散型電源及び／又は系統連系装置の出力電力状態が所定条件を満たさない（すなわち、正常ではない）ことを確認した上で、エラー処理を行うことによって、連系運転を停止している場合であっても、系統連系装置に係る故障を自動で診断できる。
【００１２】
本発明に係る故障診断方法の他の特徴は、上述した特徴において、前記ステップＢで計測された前記出力電力状態が前記所定条件を満たす場合に、前記自立運転を停止して、前記連系運転の開始を試みるステップＤをさらに有することを要旨とする。
【００１３】
本発明に係る故障診断方法の他の特徴は、上述した特徴において、前記模擬負荷は、充電量が可変の蓄電池を含み、前記蓄電池は、前記ステップＡで供給される電力を充電することを要旨とする。
【００１４】
本発明に係る故障診断方法の他の特徴は、上述した特徴において、前記ステップＢは、前記蓄電池の充電量を変化させながら、前記分散型電源及び／又は前記系統連系装置の出力電力状態を計測することを要旨とする。
【００１５】
本発明に係る故障診断方法の他の特徴は、上述した特徴において、前記模擬負荷は、前記蓄電池と、前記蓄電池を前記系統に連系可能な他の系統連系装置（蓄電ＰＣＳ２５０）と、を含み、前記系統連系装置の前記自立運転出力には、電力ライン（ＰＶ自立出力ラインＰＬ４）を介して前記他の系統連系装置が接続され、前記ステップＡは、前記自立運転出力から前記電力ラインを介して前記他の系統連系装置に交流電力を供給することを要旨とする。
【００１６】
本発明に係る系統連系装置の特徴は、分散型電源の出力電力が入力され、前記分散型電源を系統に連系して負荷に電力を供給する連系運転を行うように構成された系統連系装置であって、前記系統連系装置が異常を検知したことにより前記連系運転を停止した後、前記分散型電源を前記系統に連系しない自立運転によって、前記系統連系装置の自立運転出力から模擬負荷に電力を供給する供給手段（インバータ１５１、自立出力リレー１５３、ＰＶコントローラ１５４）と、前記自立運転出力から前記模擬負荷に電力を供給する際の前記分散型電源及び／又は前記系統連系装置の出力電力状態が所定条件を満たさない場合に、前記故障が発生したと判定して、ユーザへの通知のためのエラー処理を行うエラー処理手段（ＰＶコントローラ１５４、ディスプレイ１５７、スピーカ１５８）と、を有することを要旨とする。
【００１７】
本発明に係る制御装置の特徴は、分散型電源の出力電力が入力され、前記分散型電源を系統に連系して負荷に電力を供給する連系運転を行うように構成された系統連系装置を制御する制御装置（ＨＥＭＳ６００）であって、前記系統連系装置が異常を検知したことにより前記連系運転を停止した後、前記分散型電源を前記系統に連系しない自立運転によって、前記系統連系装置の自立運転出力から模擬負荷に電力を供給するよう制御する供給制御手段（ＨＥＭＳコントローラ６１０、送受信機６２０）と、前記自立運転出力から前記模擬負荷に電力を供給する際の前記分散型電源及び／又は前記系統連系装置の出力電力状態が所定条件を満たさない場合に、前記故障が発生したと判定して、ユーザへの通知のためのエラー処理を行うよう制御するエラー処理制御手段（ＨＥＭＳコントローラ６１０、送受信機６２０）と、を有することを要旨とする。
【発明の効果】
【００１８】
本発明によれば、連系運転を停止している場合であっても、系統連系装置に係る故障を自動で診断できる故障診断方法、系統連系装置、及び制御装置を提供できる。
【図面の簡単な説明】
【００１９】
【図１】第１実施形態及び第２実施形態に係る電力制御システムのブロック図である。
【図２】第１実施形態及び第３実施形態に係る故障診断方法のフロー図である。
【図３】第２実施形態に係る故障診断方法のフロー図である。
【図４】第３実施形態に係る電力制御システムのブロック図である。
【発明を実施するための形態】
【００２０】
図面を参照して、本発明の第１実施形態〜第３実施形態、及びその他の実施形態を説明する。以下の各実施形態における図面において、同一又は類似の部分には同一又は類似の符号を付す。
【００２１】
［第１実施形態］
図１は、本実施形態に係る電力制御システムのブロック図である。以下のブロック図において、電力ラインは太線で示し、通信ライン（信号ライン）は破線で示している。なお、通信ラインは有線に限らず無線であってもよい。
【００２２】
図１に示すように、本実施形態に係る電力制御システムは、電力会社の系統１０から交流（ＡＣ）電力の供給を受ける需要家に、太陽電池（ＰＶ）１００、ＰＶパワーコンディショナ（ＰＶ ＰＣＳ）１５０、蓄電池２００、蓄電パワーコンディショナ（蓄電ＰＣＳ）２５０、分電盤３００、１又は複数の負荷４００が設けられる。
【００２３】
本実施形態において、ＰＶ１００は、分散型電源に相当する。ＰＶ ＰＣＳ１５０は、ＰＶ１００の出力電力が入力され、ＰＶ１００を系統１０に連系して負荷４００に電力を供給する連系運転を行うように構成された系統連系装置に相当する。
【００２４】
ＰＶ１００は、太陽光を受けて発電し、ＰＶ ＰＣＳ１５０との間に設けられたＰＶ電力ラインＰＬ１を介して、発電により得られた直流（ＤＣ）電力をＰＶ ＰＣＳ１５０に出力する。
【００２５】
蓄電池２００は、電力を蓄えるものであり、蓄電ＰＣＳ２５０との間に設けられた蓄電電力ラインＰＬ２を介して、蓄電ＰＣＳ２５０からのＤＣ電力を充電し、放電によるＤＣ電力を蓄電ＰＣＳ２５０でＡＣ電力に変換して分電盤３００に出力する。
【００２６】
ＰＶ ＰＣＳ１５０は、ＰＶ１００の発電により得られるＤＣ電力をＡＣに変換して出力する。ＰＶ ＰＣＳ１５０は、連系運転時において、分電盤３００との間に設けられたＰＶ連系出力ラインＰＬ３を介して、ＡＣ電力を分電盤３００に出力する。これに対し、自立運転時において、ＰＶ ＰＣＳ１５０は、蓄電ＰＣＳ２５０との間に設けられたＰＶ自立出力ラインＰＬ４を介して、ＡＣ電力を蓄電ＰＣＳ２５０に出力する。
【００２７】
ＰＶ ＰＣＳ１５０は、インバータ１５１、系統連系リレー１５２、自立出力リレー１５３、ＰＶコントローラ１５４、センサ１５５、センサ１５６、ディスプレイ１５７、スピーカ１５８を含む。
【００２８】
インバータ１５１は、ＰＶコントローラ１５４の制御下で、ＰＶ１００が出力するＤＣ電力をＡＣに変換する。
【００２９】
系統連系リレー１５２は、ＰＶコントローラ１５４の制御下で、オン／オフする。系統連系リレー１５２がオン状態である場合には、ＰＶ１００は系統１０に連系され、系統連系リレー１５２がオフ状態である場合には、ＰＶ１００は系統１０から解列される。連系運転は、系統連系リレー１５２がオン状態であって、インバータ１５１がＡＣ電力を出力する運転状態である。
【００３０】
自立出力リレー１５３は、ＰＶコントローラ１５４の制御下で、オン／オフする。自立運転は、自立出力リレー１５３がオン状態であって、インバータ１５１がＡＣ電力を出力する運転状態である。なお、系統連系リレー１５２及び自立出力リレー１５３は、ＰＶコントローラ１５４によって、何れか一方のみがオン状態になるよう制御される。
【００３１】
ＰＶコントローラ１５４は、ＰＶ ＰＣＳ１５０の各種機能を制御するものであり、プロセッサやメモリを用いて構成される。ＰＶコントローラ１５４は、通信ラインＣＬを介して蓄電ＰＣＳ２５０と通信可能に構成される。ＰＶコントローラ１５４及び蓄電コントローラ２５３は、相互に通信可能な状態を検知し、後述する制御を実施可能な状態にする。なお、ＰＶコントローラ１５４は、蓄電コントローラ２５３との直接的な通信を行う構成に限らず、図示しない送受信機、サーバあるいは制御装置を介して情報をやり取りしてもよい。また、これら情報は、有線或いは無線によりやり取りされても良い。
【００３２】
ＰＶコントローラ１５４は、連系運転時において、ＰＶ１００及び／又はＰＶ ＰＣＳ１５０の異常を検知し、連系運転を停止（詳細には、系統連系リレー１５２をオフするとともにインバータ１５１を停止）させる異常停止処理を行うように構成されている。また、ＰＶコントローラ１５４は、異常停止処理を行った後に、ＰＶ ＰＣＳ１５０に係る故障を診断する故障診断を行う。故障診断については後述する。
【００３３】
センサ１５５は、ＰＶ電力ラインＰＬ１上に設けられており、ＰＶ１００の出力電力状態（電圧、電流）を測定し、測定結果をＰＶコントローラ１５４に出力する。
【００３４】
センサ１５６は、ＰＶ自立出力ラインＰＬ４上に設けられており、ＰＶ ＰＣＳ１５０の出力電力状態（電圧、電流）を測定し、測定結果をＰＶコントローラ１５４に出力する。ただし、本実施形態においては、センサ１５６は設けられていなくてもよい。
【００３５】
ディスプレイ１５７は、ＰＶコントローラ１５４の制御下で、各種の表示（エラー表示など）を行うように構成される。スピーカ１５８は、ＰＶコントローラ１５４の制御下で、各種の音声出力（ブザー音出力など）を行うように構成される。本実施形態では、ディスプレイ１５７及びスピーカ１５８の両方がエラー処理に使用されるが、何れか一方のみをエラー処理に使用してもよい。なお、ディスプレイ１５７は、ＰＶ ＰＣＳ１５０の外部に設けられていてもよい。
【００３６】
蓄電ＰＣＳ２５０は、充電時には、系統１０からのＡＣ電力（主に夜間電力）や、ＰＶ ＰＣＳ１５０からのＡＣ電力をＤＣに変換して蓄電池２００に出力する。これに対し、放電時には、蓄電ＰＣＳ２５０は、蓄電池２００の放電により得られるＤＣ電力をＡＣに変換して、分電盤３００との間に設けられた蓄電連系入出力ラインＰＬ５を介して分電盤３００に出力する。
【００３７】
蓄電ＰＣＳ２５０は、双方向コンバータ２５１、系統連系リレー１５２、蓄電コントローラ２５３、センサ２５４を含む。
【００３８】
双方向コンバータ２５１は、蓄電コントローラ２５３の制御下で、蓄電池２００が出力するＤＣ電力をＡＣに変換したり、系統１０からのＡＣ電力やＰＶ ＰＣＳ１５０からのＡＣ電力をＤＣに変換したりする。
【００３９】
系統連系リレー１５２は、蓄電コントローラ２５３の制御下で、オン／オフする。系統連系リレー２５２がオン状態である場合には、蓄電池２００は系統１０に連系され、系統連系リレー２５２がオフ状態である場合には、蓄電池２００は系統１０から解列される。
【００４０】
蓄電コントローラ２５３は、蓄電ＰＣＳ２５０の各種機能を制御するものであり、プロセッサやメモリを用いて構成される。蓄電コントローラ２５３は、通信ラインＣＬを介してＰＶコントローラ１５４と通信可能に構成される。蓄電コントローラ２５３は、ＰＶ ＰＣＳ１５０の自立運転時に、ＰＶ ＰＣＳ１５０に係る故障を診断する故障診断の一部を行う。故障診断については後述する。
【００４１】
センサ２５４は、ＰＶ自立出力ラインＰＬ４上に設けられており、ＰＶ ＰＣＳ１５０の出力電力状態（電圧、電流）を測定し、測定結果をＰＶコントローラ１５４に出力する。
【００４２】
分電盤３００は、ＰＶ ＰＣＳ１５０が出力するＡＣ電力及び蓄電ＰＣＳ２５０が出力するＡＣ電力を負荷４００に供給する。分電盤３００は、ＰＶ ＰＣＳ１５０及び蓄電ＰＣＳ２５０の総出力ＡＣ電力量が負荷４００の消費電力量未満である場合には、不足分のＡＣ電力を系統電力ラインＰＬ７を介して系統１０から受電（買電）して負荷４００に供給する。また、分電盤３００は、ＰＶ ＰＣＳ１５０及び蓄電ＰＣＳ２５０の総出力ＡＣ電力量が負荷４００の消費電力量よりも多い場合には、超過分のＡＣ電力を系統電力ラインＰＬ７を介して系統１０に逆潮流（売電）する。なお、蓄電池２００（蓄電ＰＣＳ２５０）による逆潮流は認められていないため、逆潮流されるのはＰＶ ＰＣＳ１５０の出力ＡＣ電力に限られる。
【００４３】
負荷４００は、分電盤３００との間に設けられた電力供給ラインＰＬ６を介してＡＣ電力が供給され、供給されたＡＣ電力を消費して動作する。負荷４００は、１つであってもよく、複数であってもよい。負荷４００には、照明、あるいはエアコンや冷蔵庫、テレビ等の家電機器に限らず、蓄熱器等が含まれていることがある。
【００４４】
次に、本実施形態に係るＰＶ ＰＣＳ１５０の故障診断方法を説明する。
【００４５】
ここで、本実施形態に係る故障診断方法の概要を説明する。本実施形態に係る故障診断方法は、ＰＶ１００を系統１０に連系する連系運転を行うように構成されたＰＶ ＰＣＳ１５０に係る故障を診断するものである。
【００４６】
本実施形態に係る故障診断方法は、第１に、ＰＶ ＰＣＳ１５０が異常（例えば、ＰＶ ＰＣＳ１５０の入力過電圧、出力過電圧、半導体部品異常など）を検知したことにより連系運転を停止した後、ＰＶ１００を系統１０に連系しない自立運転によって、ＰＶ ＰＣＳ１５０の自立運転出力から蓄電ＰＣＳ２５０に電力を供給する。
【００４７】
第２に、ＰＶ ＰＣＳ１５０から蓄電ＰＣＳ２５０に電力が供給される際に、ＰＶ１００及び／又はＰＶ ＰＣＳ１５０の出力電力状態を計測する。
【００４８】
第３に、計測された出力電力状態が所定条件を満たさない場合に、故障が発生したと判定して、ユーザへの通知のためのエラー処理（エラー表示やブザー音出力など）を行う。ここで、所定条件とは、ＰＶ１００及び／又はＰＶ ＰＣＳ１５０が正常に動作していると見なすことができる出力電力状態（電圧、電流など）を意味する。
【００４９】
これに対し、計測された出力電力状態が所定条件を満たす場合には、自立運転を停止して、連系運転の開始を試みるリトライ処理を行う。
【００５０】
このように、本実施形態に係る故障診断方法は、蓄電池２００を模擬負荷として使用して、自立運転によって、ＰＶ１００及び／又はＰＶ ＰＣＳ１５０が正常に動作しているかを確認（検証）するための試験を行う。
【００５１】
図２は、本実施形態に係る故障診断方法のフロー図である。本フローの開始時点では、ＰＶ ＰＣＳ１５０において、系統連系リレー１５２がオン状態且つ連系リレー１５２がオフ状態であって、インバータ１５１が動作（運転）している状態である。
【００５２】
図２に示すように、ステップＳ１０１において、ＰＶコントローラ１５４は、異常（例えば、ＰＶ ＰＣＳ１５０の入力過電圧、出力過電圧、半導体部品異常など）を検知し、連系運転を停止する。詳細には、系統連系リレー１５２をオフし、インバータ１５１の動作を停止する。
【００５３】
ステップＳ１０２において、ＰＶコントローラ１５４は、自立出力リレー１５３をオンし、インバータ１５１の動作を開始することによって、ＰＶ ＰＣＳ１５０の自立運転を開始する。その結果、インバータ１５１が出力するＡＣ電力が自立出力リレー１５３及びＰＶ自立出力ラインＰＬ４を介して蓄電ＰＣＳ２５０の双方向コンバータ２５１に入力される。
【００５４】
ステップＳ１０３において、蓄電コントローラ２５３は、ＰＶ自立出力ラインＰＬ４を介してＡＣ電力が供給されたことを検知すると、蓄電池２００を充電するための充電モードを開始する。蓄電コントローラ２５３は、充電モードにおいては、蓄電池２００の充電量を変化させてもよい。なお、充電量は、電流、電圧、電力、単位時間当たりの電流または電力の何れかで示される。
【００５５】
蓄電池２００の充電量を変化させると、ＰＶ１００及びＰＶ ＰＣＳ１５０の出力電圧値も変化する。ＰＶコントローラ１５４は、ＰＶ１００の出力電圧値が変化する際のＰＶ１００の出力電流値を測定するとともに、ＰＶ１００の出力電圧値及び出力電流値の積をＰＶ１００の出力電力量として計測する。また、ＰＶコントローラ１５４は、ＰＶ ＰＣＳ１５０の出力電圧値が変化する際のＰＶ ＰＣＳ１５０の出力電流値を測定するとともに、ＰＶ ＰＣＳ１５０の出力電圧値及び出力電流値の積をＰＶ ＰＣＳ１５０の出力電力量として計測する。
【００５６】
ステップＳ１０４において、ＰＶコントローラ１５４は、ステップＳ１０３で計測される電力状態（電圧値、電流値、電力量、電力変換効率）が、予め記憶している電力条件（電圧値、電流値、電力量、電力変換効率）と一致又は略一致するかを確認する。一致又は略一致する場合（ステップＳ１０４；ＹＥＳ）には、ＰＶ１００及びＰＶ ＰＣＳ１５０が正常に動作していると判断して、処理をステップＳ１０５に進める。これに対し、一致又は略一致しない場合（ステップＳ１０４；ＮＯ）には、ＰＶ１００及び／又はＰＶ ＰＣＳ１５０が正常に動作していないと判断し、処理をステップＳ１０８に進める。
【００５７】
ステップＳ１０５において、ＰＶコントローラ１５４は、自立出力リレー１５３をオフすることによって、ＰＶ ＰＣＳ１５０の自立運転を停止する。
【００５８】
ステップＳ１０６において、ＰＶコントローラ１５４は、連系運転の起動状態に移行する。
【００５９】
ステップＳ１０７において、ＰＶコントローラ１５４は、インバータ１５１を動作させつつ、系統連系リレー１５２をオンすることによって、連系運転の開始を試みる（リトライ処理）。
【００６０】
一方、ＰＶ１００及び／又はＰＶ ＰＣＳ１５０が正常に動作していないと判断された後のステップＳ１０８において、ＰＶコントローラ１５４は、自立出力リレー１５３をオフし、且つインバータ１５１を停止することによって、ＰＶ ＰＣＳ１５０の自立運転を停止する。
【００６１】
ステップＳ１０９において、ＰＶコントローラ１５４は、故障をユーザに通知するためのエラー処理を行う。
【００６２】
以上説明したように、ＰＶ ＰＣＳ１５０は、異常検知により連系運転を停止した後に、ＰＶ１００を系統１０に連系しない自立運転によって、ＰＶ ＰＣＳ１５０の自立運転出力から蓄電ＰＣＳ２５０に電力を供給する供給手段（インバータ１５１、自立出力リレー１５３、ＰＶコントローラ１５４）と、自立運転出力から蓄電ＰＣＳ２５０に電力を供給する際のＰＶ１００及び／又はＰＶ ＰＣＳ１５０の出力電力状態が所定条件を満たさない場合に、故障が発生したと判定して、ユーザへの通知のためのエラー処理を行うエラー処理手段（ＰＶコントローラ１５４、ディスプレイ１５７、スピーカ１５８）と、を有する。
【００６３】
このように、異常検知により連系運転を停止した後に、自立運転を行うことによって、ＰＶ１００及び／又はＰＶ ＰＣＳ１５０の出力電力状態が正常であるかを検証する試験を行うことができる。そして、ＰＶ１００及び／又はＰＶ ＰＣＳ１５０の出力電力状態が正常でないことを確認した上で、エラー処理を行うことによって、連系運転を停止している場合であっても、ＰＶ ＰＣＳ１５０に係る故障を自動で診断できる。
【００６４】
これに対し、ＰＶ１００及び／又はＰＶ ＰＣＳ１５０の出力電力状態が正常であることが確認された場合には、連系運転を再開するリトライ処理を行うため、連系運転への復帰を自動で行うことができる。
【００６５】
本実施形態では、蓄電池２００は、充電量が可変であり、ＰＶ ＰＣＳ１５０から供給される電力を充電する。このように、試験のための模擬負荷として、充電量が可変の蓄電池２００を使用することで、ＰＶ１００及び／又はＰＶ ＰＣＳ１５０の出力電力状態を段階的に確認することができる。そして、そのような試験中に得られる電力を消費せずに充電することによって、当該電力を無駄にしないようにすることができる。
【００６６】
［第２実施形態］
以下、第２実施形態について、第１実施形態との相違点を説明する。
【００６７】
本実施形態に係る電力制御システムは、第１実施形態と同様に構成されるが、故障診断方法が第１実施形態とは一部異なる。
【００６８】
図３は、本実施形態に係る故障診断方法のフロー図である。本フローは、ステップＳ２０３〜Ｓ２０５、及びＳ２０８以外の各ステップは第１実施形態と同様であるため、ステップＳ２０３〜Ｓ２０５、及びＳ２０８について説明する。
【００６９】
図３に示すように、ステップＳ２０３において、蓄電コントローラ２５３は、ＰＶ自立出力ラインＰＬ４を介してＡＣ電力が供給されたことを検知すると、蓄電池２００を充電するための充電モードを開始する。蓄電コントローラ２５３は、充電モードにおいては、蓄電池２００の充電量を変化させてもよい。蓄電池２００の充電量を変化させると、ＰＶ ＰＣＳ１５０の出力電圧値も変化する。本実施形態では、蓄電コントローラ２５３は、ＰＶ ＰＣＳ１５０の出力電圧値が変化する際のＰＶ ＰＣＳ１５０の出力電流値を測定するとともに、ＰＶ ＰＣＳ１５０の出力電圧値及び出力電流値の積をＰＶ ＰＣＳ１５０の出力電力量として計測する。
【００７０】
ステップＳ２０４において、蓄電コントローラ２５３は、ステップＳ２０３で計測される電力状態（電圧値、電流値、電力量、電力変換効率）が、予め記憶している電力条件（電圧値、電流値、電力量、電力変換効率）と一致又は略一致するかを確認する。一致又は略一致する場合（ステップＳ２０４；ＹＥＳ）には、ＰＶ１００及びＰＶ ＰＣＳ１５０が正常に動作していると判断して、その旨をＰＶコントローラ１５４に通知し、処理をステップＳ２０５に進める。これに対し、一致又は略一致しない場合（ステップＳ２０４；ＮＯ）には、ＰＶ１００及び／又はＰＶ ＰＣＳ１５０が正常に動作していないと判断し、その旨をＰＶコントローラ１５４に通知し、処理をステップＳ２０８に進める。
【００７１】
ステップＳ２０５において、ＰＶコントローラ１５４は、蓄電コントローラ２５３からの通知に応じて、自立出力リレー１５３をオフすることによって、ＰＶ ＰＣＳ１５０の自立運転を停止する。以降は、ＰＶコントローラ１５４は、第１実施形態と同様にリトライ処理を行う。
【００７２】
ステップＳ２０８において、ＰＶコントローラ１５４は、蓄電コントローラ２５３からの通知に応じて、自立出力リレー１５３をオフし、且つインバータ１５１を停止することによって、ＰＶ ＰＣＳ１５０の自立運転を停止する。以降は、ＰＶコントローラ１５４は、第１実施形態と同様にエラー処理を行う。
【００７３】
［第３実施形態］
以下、第３実施形態について、第１実施形態及び第２実施形態との相違点を説明する。図４は、本実施形態に係る電力制御システムのブロック図である。
【００７４】
図４に示すように、本実施形態に係る電力制御システムは、ＨＥＭＳ（Ｈｏｍｅ  Ｅｎｅｒｇｙ  Ｍａｎａｇｅｍｅｎｔ  Ｓｙｓｔｅｍ）６００を有する点で第１実施形態及び第２実施形態とは異なる。ＨＥＭＳ６００は、需要家内の電力管理を行うためのものであり、ＰＶ ＰＣＳ１５０や蓄電ＰＣＳ２５０、負荷４００に対して各種の制御コマンドを送信することにより需要家内の各機器を制御する機能と、各種の計測値を収集して需要家内の各機器の状態を監視・表示する機能とを有する。本実施形態において、ＨＥＭＳ６００は、ＰＶ ＰＣＳ１５０（系統連系装置）を制御する制御装置に相当する。
【００７５】
ＨＥＭＳ６００は、ＨＥＭＳコントローラ６１０及び送受信機６２０を含む。ＨＥＭＳコントローラ６１０は、プロセッサやメモリを用いて構成され、送受信機６２０を用いて需要家内の各機器を制御する。送受信機６２０は、需要家内の各機器との通信を行うように構成される。
【００７６】
このように構成された電力供給システムにおいて、ＨＥＭＳ６００は、上述した実施形態に係る故障診断方法を実施するための制御を行う。ＨＥＭＳ６００が、上述した実施形態に係る故障診断方法を実施するための制御を行う場合の動作について、図２のフロー図を用いて説明する。
【００７７】
図２に示すように、ステップＳ１０１において、ＨＥＭＳ６００は、異常（例えば、ＰＶ ＰＣＳ１５０の入力過電圧、出力過電圧、半導体部品異常など）を検知し、連系運転を停止するようＰＶ ＰＣＳ１５０を制御する。
【００７８】
ステップＳ１０２において、ＨＥＭＳ６００は、自立運転を開始するようＰＶ ＰＣＳ１５０を制御する。その結果、インバータ１５１が出力するＡＣ電力が自立出力リレー１５３及びＰＶ自立出力ラインＰＬ４を介して蓄電ＰＣＳ２５０の双方向コンバータ２５１に入力される。
【００７９】
ステップＳ１０３において、ＨＥＭＳ６００は、ＰＶ自立出力ラインＰＬ４を介してＡＣ電力が供給されたことを検知すると、蓄電池２００を充電するための充電モードを開始するよう蓄電ＰＣＳ２５０を制御する。ＨＥＭＳ６００は、充電モードにおいて、蓄電池２００の充電量を変化させる。蓄電池２００の充電量を変化させると、ＰＶ１００及びＰＶ ＰＣＳ１５０の出力電圧値も変化する。ＨＥＭＳ６００は、ＰＶ１００の出力電圧値が変化する際のＰＶ１００の出力電流値を測定するとともに、ＰＶ１００の出力電圧値及び出力電流値の積をＰＶ１００の出力電力量として計測する。また、ＨＥＭＳ６００は、ＰＶ ＰＣＳ１５０の出力電圧値が変化する際のＰＶ ＰＣＳ１５０の出力電流値を測定するとともに、ＰＶ ＰＣＳ１５０の出力電圧値及び出力電流値の積をＰＶ ＰＣＳ１５０の出力電力量として計測する。
【００８０】
ステップＳ１０４において、ＨＥＭＳ６００は、ステップＳ１０３で計測される電力状態（電圧値、電流値、電力量、電量変化効率）が、予め記憶している電力条件（電圧値、電流値、電力量、電量変化効率）と一致又は略一致するかを確認する。一致又は略一致する場合（ステップＳ１０４；ＹＥＳ）には、ＰＶ１００及びＰＶ ＰＣＳ１５０が正常に動作していると判断して、処理をステップＳ１０５に進める。これに対し、一致又は略一致しない場合（ステップＳ１０４；ＮＯ）には、ＰＶ１００及び／又はＰＶ ＰＣＳ１５０が正常に動作していないと判断し、処理をステップＳ１０８に進める。
【００８１】
ステップＳ１０５において、ＨＥＭＳ６００は、自立運転を停止するようＰＶ ＰＣＳ１５０を制御する。
【００８２】
ステップＳ１０６において、ＨＥＭＳ６００は、連系運転の起動状態に移行するようＰＶ ＰＣＳ１５０を制御する。
【００８３】
ステップＳ１０７において、ＨＥＭＳ６００は、連系運転の開始を試みるようＰＶ ＰＣＳ１５０を制御する。
【００８４】
一方、ＰＶ１００及び／又はＰＶ ＰＣＳ１５０が正常に動作していないと判断された後のステップＳ１０８において、ＨＥＭＳ６００は、自立運転を停止するようＰＶ ＰＣＳ１５０を制御する。
【００８５】
ステップＳ１０９において、ＨＥＭＳ６００は、故障をユーザに通知するためのエラー処理を行うようＰＶ ＰＣＳ１５０を制御する。あるいは、ＨＥＭＳ６００に設けられるディスプレイ（不図示）やスピーカ（不図示）を利用して、ＨＥＭＳ６００自身がエラー処理を行うように、当該ディスプレイや当該スピーカを制御してもよい。
【００８６】
以上説明したように、本実施形態に係るＨＥＭＳ６００は、ＰＶ ＰＣＳ１５０が異常を検知したことにより連系運転を停止した後、ＰＶ１００を系統１０に連系しない自立運転によって、ＰＶ ＰＣＳ１５０の自立運転出力から模擬負荷に電力を供給するよう制御する供給制御手段（ＨＥＭＳコントローラ６１０、送受信機６２０）と、自立運転出力から蓄電ＰＣＳ２５０に電力を供給する際のＰＶ１００及び／又はＰＶ ＰＣＳ１５０の出力電力状態が所定条件を満たさない場合に、故障が発生したと判定して、ユーザへの通知のためのエラー処理を行うよう制御するエラー処理制御手段（ＨＥＭＳコントローラ６１０、送受信機６２０）と、を有する。これにより、ＰＶ ＰＣＳ１５０と蓄電ＰＣＳ２５０との間に通信ラインが設けられない構成においても故障診断方法を実施できる。
【００８７】
［その他の実施形態］
上記のように、本発明は各実施形態によって記載したが、この開示の一部をなす論述及び図面はこの発明を限定するものであると理解すべきではない。この開示から当業者には様々な代替実施形態、実施例及び運用技術が明らかとなる。
【００８８】
上述した各実施形態では、ＰＶ１００及び／又はＰＶ ＰＣＳ１５０の出力電力状態を段階的に確認する一例を説明した。しかしながら、半導体の短絡故障状態下での動作による二次被害を最小限にするために、瞬間的、間欠的な動作モードで診断してもよい。
【００８９】
上述した各実施形態では、ＰＶ ＰＣＳ１５０から蓄電ＰＣＳ２５０にＡＣ電力を供給する一例を説明したが、ＰＶ ＰＣＳ１５０から蓄電ＰＣＳ２５０にＤＣ電力を供給する構成としてもよい。この場合、図１において、ＰＶ１００とインバータ１５１との間に設けられるＤＣ／ＤＣコンバータ（不図示）を自立出力リレー１５３に接続し、当該自立出力リレー１５３と、蓄電池２００と双方向コンバータ２５１との間に設けられるＤＣ／ＤＣコンバータ（不図示）と、をＰＶ自立出力ラインＰＬ４で接続すればよい。
【００９０】
さらに、上述した各実施形態では、ＰＶ ＰＣＳ１５０と蓄電ＰＣＳ２５０とを個別に設ける一例を説明したが、蓄電ＰＣＳ２５０をＰＶ ＰＣＳ１５０と一体化する構成（いわゆる、ハイブリッドＰＣＳ）でもよい。
【００９１】
上述した各実施形態では、蓄電池２００（及び蓄電ＰＣＳ２５０）を模擬負荷として使用していたが、蓄電池２００（及び蓄電ＰＣＳ２５０）に代えて、消費電力量が可変の負荷などを使用してもよい。
【００９２】
また、上述した各実施形態では、分散型電源の一例としてＰＶを説明したが、ＰＶに代えて、燃料電池の一種である固体酸化物型燃料電池（ＳＯＦＣ）、他の蓄電池、風力発電装置などを使用してもよい。
【００９３】
このように本発明は、ここでは記載していない様々な実施形態等を包含するということを理解すべきである。
【符号の説明】
【００９４】
１０…系統、１００…ＰＶ、１５０…ＰＶ ＰＣＳ、１５１…インバータ、１５２…系統連系リレー、１５２…連系リレー、１５３…自立出力リレー、１５４…ＰＶコントローラ、１５５…センサ、１５６…センサ、１５７…ディスプレイ、１５８…スピーカ、２００…蓄電池、２５０…ＰＣＳ、２５１…双方向コンバータ、２５２…系統連系リレー、２５３…蓄電コントローラ、２５４…センサ、３００…分電盤、４００…負荷、６００…ＨＥＭＳ、６１０…ＨＥＭＳコントローラ、６２０…送受信機
【図１】
0005777965.tif 000002
【図２】
0005777965.tif 000003
【図３】
0005777965.tif 000004
【図４】
0005777965.tif 000005